【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体、貸与機関管理装置、クレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤを貸与機関管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するためのデータ交換ステップと、
カード決済装置から出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とするクレジットＩＤ管理方法。
【請求項２】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録した記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体、貸与機関管理装置、クレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤを貸与機関管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するためのデータ交換ステップと、
カード決済装置から出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とするクレジットＩＤ管理方法。
【請求項３】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤ、電子バリュー残高およびプリペイド決済情報を記録する記録部を備え、
カード決済装置および貸与機関管理装置とデータ交換するためのデータ交換ステップを実行し、
カード決済装置は、
可搬性記録媒体およびクレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報を可搬性記録媒体に出力して記録するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
可搬性記録媒体とデータ交換するためのデータ交換ステップと、
可搬性記録媒体から読み出したプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップと実行すること、
を特徴とするクレジットＩＤ管理方法。
【請求項４】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤおよびプリペイド決済情報を記録する記録部を備え、
カード決済装置および貸与機関管理装置とデータ交換するためのデータ交換ステップを実行し、
カード決済装置は、
各クレジットＩＤに対応づけて電子バリュー残高を記録した記録部を備え、
可搬性記録媒体およびクレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報を可搬性記録媒体に出力して記録するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
可搬性記録媒体とデータ交換するためのデータ交換ステップと、
可搬性記録媒体から読み出したプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とするクレジットＩＤ管理方法。
【請求項５】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体およびクレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤをクレジット管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置および貸与機関管理装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップと、
カード決済装置から出力されてきたプリペイド決済情報およびクレジットＩＤをクレジットＩＤ・貸与機関対応情報に基づいて、当該クレジットＩＤに対応する貸与機関管理装置に出力するプリペイド決済情報出力ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
クレジット管理装置とデータ交換するためのデータ交換ステップと、
クレジット管理装置から出力されたプリペイド決済情報およびクレジットＩＤを各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とするクレジットＩＤ管理方法。
【請求項６】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録した記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体およびクレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤをクレジット管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置および貸与機関管理装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップと、
カード決済装置から出力されてきたプリペイド決済情報およびクレジットＩＤをクレジットＩＤ・貸与機関対応情報に基づいて、当該クレジットＩＤに対応する貸与機関管理装置に出力するプリペイド決済情報出力ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
クレジット管理装置とデータ交換するためのデータ交換ステップと、
クレジット管理装置から出力されたプリペイド決済情報およびクレジットＩＤを各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とするクレジットＩＤ管理方法。
【請求項７】
請求項２、４または６のいずれかのクレジットＩＤ管理方法において、
カード決済装置の記録部は、複数のクレジットＩＤをグループとして記録しており、
カード決済装置は、判断ステップの実行により、前記減算後の電子バリュー残高および当該クレジットＩＤと同じグループに属する他のクレジットＩＤに対応する電子バリュー残高を合計し、合計した電子バリュー残高が、所定の補充判定額以下になるか否かを判断し、
カード決済装置は、電子バリュー残高更新ステップの実行により、前記合計した電子バリュー残高が、補充判定額以下であれば、前記補充を行うこと
を特徴とするクレジットＩＤ管理方法。
【請求項８】
請求項７のクレジットＩＤ管理方法において、
前記補充は、利用を行った当該クレジットＩＤに対して行われること
を特徴とするクレジットＩＤ管理方法。
【請求項９】
請求項７のクレジットＩＤ管理方法において、
前記補充は、補充後の当該グループ内のクレジットＩＤの電子バリュー残高が同じ所定額になるように行うこと
を特徴とするクレジットＩＤ管理方法。
【請求項１０】
請求項７のクレジットＩＤ管理方法において、
前記補充は、補充後の当該グループ内のクレジットＩＤの電子バリュー残高が前記クレジットＩＤごとに設定された所定額になるように行うこと
を特徴とするクレジットＩＤ管理方法。
【請求項１１】
請求項２、４または６〜１０のいずれかのクレジットＩＤ管理方法において、
カード決済装置の記録部は、複数のクレジットＩＤをグループとして記録しており、
カード決済装置は、判断ステップの実行により、さらに、決済金額が電子バリュー残高よりも大きいか否かを判断し、
カード決済装置は、電子バリュー残高更新ステップの実行により、決済金額が電子バリュー残高よりも大きい場合には、当該不足金額分を、当該クレジットＩＤと同じグループに属する他のクレジットＩＤの電子バリュー残高から減算して更新すること
を特徴とするクレジットＩＤ管理方法。
【請求項１２】
請求項１〜１１のいずれかのクレジットＩＤ管理方法において、
前記補充判定額は、前記可搬性記録媒体の記録部に記録されていること
を特徴とするクレジットＩＤ管理方法。
【請求項１３】
請求項１〜１１のいずれかのクレジットＩＤ管理方法において、
前記補充判定額は、前記カード決済装置の記録部に記録されていること
を特徴とするクレジットＩＤ管理方法。
【請求項１４】
請求項１〜１３のいずれかのクレジットＩＤ管理方法において、
前記カード決済装置は、交通機関に設置された自動改札機と利用機関管理装置とを備えており、
自動改札機は、前記データ交換ステップの一部である改札機データ交換ステップ、ＩＤ・バリュー取得ステップ、判断ステップおよび電子バリュー残高更新ステップを実行するものであって、前記改札機データ交換ステップの実行により、可搬性記録媒体、利用機関管理装置とデータ交換するものであり、
利用機関管理装置は、前記データ交換ステップの一部である管理装置データ交換ステップ、プリペイド決済情報出力ステップおよびクレジット決済情報出力ステップを実行するものであって、前記管理装置データ交換ステップの実行により、自動改札機、貸与機関管理装置、クレジット管理装置とデータ交換するものであること
を特徴とするクレジットＩＤ管理方法。
【請求項１５】
請求項１４のクレジットＩＤ管理方法において、
前記自動改札機は、
乗車時には、乗車駅情報をユーザの有する可搬性記録媒体の記録部に記録する乗車駅記録ステップと、
降車時には、ユーザの有する可搬性記録媒体の記録部に記録された乗車駅情報に基づいて、決済金額を算出する決済金額算出ステップと、
をさらに実行すること
を特徴とするクレジットＩＤ管理方法。
【請求項１６】
請求項１〜１３のいずれかのクレジットＩＤ管理方法において、
前記カード決済装置は、車に設置された車載機と利用機関管理装置とを備えており、
車載機は、前記データ交換ステップである車載機データ交換ステップ、ＩＤ・バリュー取得ステップ、判断ステップおよび電子バリュー残高更新ステップを実行するものであって、前記車載機データ交換ステップの実行により、可搬性記録媒体、利用機関管理装置とデータ交換するものであり、
利用機関管理装置は、前記データ交換ステップの一部である管理装置データ交換ステップ、プリペイド決済情報出力ステップおよびクレジット決済情報出力ステップを実行するものであって、前記管理装置データ交換ステップの実行により、車載機、貸与機関管理装置、クレジット管理装置とデータ交換するものであること
を特徴とするクレジットＩＤ管理方法。
【請求項１７】
請求項１６のクレジットＩＤ管理方法において、
前記車載機は、
道路入口に設置された利用機関管理装置の通信手段と通信し、入口情報を可搬性記録媒体の記録部に記録する入口情報記録ステップと、
道路出口に設置された利用機関管理装置の通信手段と通信し、可搬性記録媒体の記録部に記録された入口情報に基づいて、決済金額を算出する決済金額算出ステップとをさらに実行すること
を特徴とするクレジットＩＤ管理方法。
【請求項１８】
請求項１〜１７のいずれかのクレジットＩＤ管理方法において、
前記貸与機関と前記ユーザは、使用者と従業者の関係にあって、使用者は複数の従業者に前記可搬性記録媒体を貸与し、
前記貸与機関管理装置の利用状況算出ステップの実行により、記録部に記録されたプリペイド決済情報およびクレジットＩＤ・ユーザ対応情報に基づいて、各従業者ごとの利用金額合計を算出すること
を特徴とするクレジットＩＤ管理方法。
【請求項１９】
請求項１〜１７のいずれかのクレジットＩＤ管理方法において、
前記貸与機関と前記ユーザは、宿泊施設とその宿泊客の関係にあって、宿泊施設は複数の宿泊客に前記可搬性記録媒体を貸与し、
前記貸与機関管理装置の利用状況算出ステップの実行により、記録部に記録されたプリペイド決済情報およびクレジットＩＤ・ユーザ対応情報に基づいて、各宿泊客ごとの利用金額合計を算出すること
を特徴とするクレジットＩＤ管理方法。
【請求項２０】
請求項１〜１７のいずれかのクレジットＩＤ管理方法において、
前記可搬性記録媒体は、クレジットカードであり、
前記クレジット会社は第１のクレジット会社であり、前記貸与機関はユーザが入会している第２のクレジット会社であり、
前記第２のクレジット会社は、前記第１のクレジット会社のクレジットカードを前記ユーザに貸与し、
前記クレジット管理装置の決済金額算出ステップの実行により、複数の第２のクレジット会社のそれぞれについての決済金額を合計して各第２のクレジット会社に対する請求金額を算出し、
前記貸与機関管理装置の利用状況算出ステップの実行により、各ユーザごとの決済金額を合計して各ユーザに対するクレジット請求金額を算出すること
を特徴とするクレジットＩＤ管理方法。
【請求項２１】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体、貸与機関管理装置、クレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤを、１以上の装置を介して貸与機関管理装置が取得するように出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録部に記録するステップと、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録する記録部を備え、
カード決済装置とデータ交換するためのデータ交換ステップと、
カード決済装置から１以上の装置を介して出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とするクレジットＩＤ管理方法。
【請求項２２】
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録する記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体、貸与機関管理装置、クレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤを、１以上の装置を介して貸与機関管理装置が取得するように出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録する記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録するステップと、
カード決済装置とデータ交換するためのデータ交換ステップと、
カード決済装置から１以上の装置を介して出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とするクレジットＩＤ管理方法。
【請求項２３】
クレジット会社のクレジット管理装置と、貸与機関の貸与機関管理装置と、利用機関のカード決済装置とを用いたクレジットＩＤ管理方法であって、
クレジット管理装置は、貸与機関に対して発行した複数のクレジットＩＤを、各貸与機関ごとに対応づけたクレジットＩＤ・貸与機関対応情報を記録しており、
貸与機関管理装置は、クレジット会社によって当該貸与機関に対して発行され、クレジット管理装置において当該貸与機関に対応づけて記録された複数のクレジットＩＤについて、各クレジットＩＤに割り当てたユーザのユーザ情報を対応づけたクレジットＩＤ・ユーザ対応情報を記録しており、
カード決済装置は、ユーザが利用機関で行った商取引に対応して、当該ユーザのクレジットＩＤと当該商取引の決済情報を、貸与機関管理装置およびクレジット管理装置に出力し、
貸与機関管理装置は、カード決済装置から受けたクレジットＩＤと決済情報を各取引ごとに記録し、記録された決済情報およびクレジットＩＤ・ユーザ対応情報に基づいて、各ユーザごとの利用状況を出力し、
クレジット管理装置は、カード決済装置から受けたクレジットＩＤと決済情報を各取引ごとに記録し、記録された決済情報およびクレジットＩＤ・貸与機関対応情報に基づいて、各貸与機関ごとの決済金額を出力すること
を特徴とするクレジットＩＤ管理方法。
【請求項２４】
クレジット会社のクレジット管理装置と、貸与機関の貸与機関管理装置と、利用機関のカード決済装置とを用いたクレジットＩＤ管理方法であって、
カード決済装置は、
貸与機関管理装置、クレジット管理装置とデータ交換するためのデータ交換ステップと、
ユーザが利用機関で行った商取引に対応して、当該ユーザのクレジットＩＤを取得するクレジットＩＤ取得ステップと、
当該商取引の少なくとも決済金額を含む決済情報を取得する決済情報取得ステップと、
前記クレジットＩＤと決済情報を、貸与サーバ装置およびクレジットサーバ装置に出力する決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から受けたクレジットＩＤと決済情報を各取引ごとに記録部に記録する決済情報記録ステップと、
記録部に記録された決済情報およびクレジットＩＤ・貸与機関対応情報に基づいて、各貸与機関ごとの決済金額を算出する決済金額算出ステップとを実行し、
貸与機関管理装置は、
クレジット会社によって当該貸与機関に対して発行され、クレジット管理装置において当該貸与機関に対応づけて記録された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するための通信ステップと、
カード決済装置から送信されてきたクレジットＩＤと決済情報を各取引ごとに記録部に記録する決済情報記録ステップと、
記録部に記録された決済情報およびクレジットＩＤ・ユーザ対応情報に基づいて、各ユーザごとの利用状況を算出する利用状況算出ステップとを実行すること
を特徴とするクレジットＩＤ管理方法。
【請求項２５】
請求項２４のクレジットＩＤ管理方法において、
前記カード決済装置は、ユーザのクレジットカードに記録されたクレジットＩＤを取得するものであり、
前記クレジット会社は、第１のクレジット会社であり、
前記貸与機関は、ユーザが入会している第２のクレジット会社であり、
前記第２のクレジット会社は、前記第１のクレジット会社のクレジットカードを前記ユーザに貸与し、
前記クレジット管理装置の決済金額算出ステップの実行により、複数の第２のクレジット会社のそれぞれについての決済金額を合計して各第２のクレジット会社に対する請求金額を算出し、
前記貸与機関管理装置の利用状況算出ステップの実行により、各ユーザごとの決済金額を合計して各ユーザに対する請求金額を算出すること
を特徴とするクレジットＩＤ管理方法。
【手続補正２】
【補正対象書類名】明細書
【補正対象項目名】発明の名称
【補正方法】変更
【補正の内容】
【発明の名称】クレジットＩＤ管理方法
【手続補正３】
【補正対象書類名】明細書
【補正対象項目名】０００１
【補正方法】変更
【補正の内容】
【０００１】
この発明は、ユーザにクレジットＩＤを貸与して、これを利用させるクレジットＩＤ管理方法に関する。
【手続補正４】
【補正対象書類名】明細書
【補正対象項目名】００１４
【補正方法】変更
【補正の内容】
【００１４】
(1)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体、貸与機関管理装置、クレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤを貸与機関管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するためのデータ交換ステップと、
カード決済装置から出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とする。
(21)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体、貸与機関管理装置、クレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤを、１以上の装置を介して貸与機関管理装置が取得するように出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録部に記録するステップと、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録する記録部を備え、
カード決済装置とデータ交換するためのデータ交換ステップと、
カード決済装置から１以上の装置を介して出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とする。
【手続補正５】
【補正対象書類名】明細書
【補正対象項目名】００１６
【補正方法】変更
【補正の内容】
【００１６】
(2)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録した記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体、貸与機関管理装置、クレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤを貸与機関管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するためのデータ交換ステップと、
カード決済装置から出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とする。
(22)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録する記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体、貸与機関管理装置、クレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤを、１以上の装置を介して貸与機関管理装置が取得するように出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録する記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録するステップと、
カード決済装置とデータ交換するためのデータ交換ステップと、
カード決済装置から１以上の装置を介して出力されたクレジットＩＤとプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とする。
【手続補正６】
【補正対象書類名】明細書
【補正対象項目名】００２８
【補正方法】変更
【補正の内容】
【００２８】
(3)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤ、電子バリュー残高およびプリペイド決済情報を記録する記録部を備え、
カード決済装置および貸与機関管理装置とデータ交換するためのデータ交換ステップを実行し、
カード決済装置は、
可搬性記録媒体およびクレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報を可搬性記録媒体に出力して記録するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
可搬性記録媒体とデータ交換するためのデータ交換ステップと、
可搬性記録媒体から読み出したプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップと実行すること、
を特徴とする。
(4)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤおよびプリペイド決済情報を記録する記録部を備え、
カード決済装置および貸与機関管理装置とデータ交換するためのデータ交換ステップを実行し、
カード決済装置は、
各クレジットＩＤに対応づけて電子バリュー残高を記録した記録部を備え、
可搬性記録媒体およびクレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報を可搬性記録媒体に出力して記録するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
可搬性記録媒体とデータ交換するためのデータ交換ステップと、
可搬性記録媒体から読み出したプリペイド決済情報を各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とする。
【手続補正７】
【補正対象書類名】明細書
【補正対象項目名】００３０
【補正方法】変更
【補正の内容】
【００３０】
(5)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤと電子バリュー残高を記録した記録部を備え、
カード決済装置とデータ交換するためのデータ交換ステップを実行し、
カード決済装置は、
可搬性記録媒体およびクレジット管理装置とデータ交換するためのデータ交換ステップと、
ユーザが利用機関で行った利用に対応して、可搬性記録媒体から、クレジットＩＤおよび電子バリュー残高を取得するＩＤ・バリュー取得ステップと、
取得した電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を可搬性記録媒体に出力して記録し、補充判定額以下であれば、減算後の電子バリュー残高に補充額を加算したものを電子バリュー残高として可搬性記録媒体に出力して記録する電子バリュー残高更新ステップと、
前記ユーザの利用に対応する決済金額を含むプリペイド決済情報およびクレジットＩＤをクレジット管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置および貸与機関管理装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップと、
カード決済装置から出力されてきたプリペイド決済情報およびクレジットＩＤをクレジットＩＤ・貸与機関対応情報に基づいて、当該クレジットＩＤに対応する貸与機関管理装置に出力するプリペイド決済情報出力ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
クレジット管理装置とデータ交換するためのデータ交換ステップと、
クレジット管理装置から出力されたプリペイド決済情報およびクレジットＩＤを各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること
を特徴とする。
(6)この発明にかかるクレジットＩＤ管理方法は、
クレジット会社のクレジット管理装置と、貸与機関の貸与機関管理装置と、利用機関のカード決済装置と、ユーザの所持する可搬性記録媒体とを用いたクレジットＩＤ管理方法であって、
可搬性記録媒体は、
クレジットＩＤを記録した記録部を備え、
カード決済装置とデータ交換するためのデータ交換ステップを実行し、
カード決済装置は、
各クレジットＩＤに対応づけて電子バリュー残高を記録した記録部を備え、
可搬性記録媒体およびクレジット管理装置とデータ交換するためのデータ交換ステップと、
ユーザが利用機関で行った利用に対応して、可搬性記録媒体から、クレジットＩＤを取得するＩＤ取得ステップと、
記録部を参照し、取得したクレジットＩＤに対応する電子バリュー残高を取得し、当該電子バリュー残高から、ユーザの利用に対応する決済金額を減算し、減算後の電子バリュー残高が、所定の補充判定額以下になるか否かを判断する判断ステップと、
補充判定額以下でなければ、当該減算後の電子バリュー残高を記録部に記録し、補充判定額以下であれば、減算後の電子バリュー残高に補充額を加算する補充を行うとともに当該補充後の電子バリュー残高を記録部に記録する電子バリュー残高更新ステップと、
前記ユーザの利用に対応する決済金額を含むプリペイド決済情報およびクレジットＩＤをクレジット管理装置に出力するプリペイド決済情報出力ステップと、
前記電子バリューに補充を行った際に、当該補充額を含むクレジット決済情報およびクレジットＩＤをクレジット管理装置に出力するクレジット決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置および貸与機関管理装置とデータ交換するためのデータ交換ステップと、
カード決済装置から出力されてきたクレジットＩＤとクレジット決済情報を各取引ごとに記録部に記録する決済情報記録ステップと、
記録部に記録されたクレジット決済情報およびクレジットＩＤ・貸与機関対応情報に基づいて、各貸与機関ごとのクレジット決済金額を算出する決済金額算出ステップと、
カード決済装置から出力されてきたプリペイド決済情報およびクレジットＩＤをクレジットＩＤ・貸与機関対応情報に基づいて、当該クレジットＩＤに対応する貸与機関管理装置に出力するプリペイド決済情報出力ステップとを実行し、
貸与機関管理装置は、
クレジット会社によって当該貸与機関に対して発行された複数のクレジットＩＤについて、各クレジットＩＤに割り当てたユーザのユーザ情報を対応づけたクレジットＩＤ・ユーザ対応情報を記録した記録部を備え、
クレジット管理装置とデータ交換するためのデータ交換ステップと、
クレジット管理装置から出力されたプリペイド決済情報およびクレジットＩＤを各取引ごとに記録部に記録する決済情報記録ステップと、
記録部に記録されたプリペイド決済情報およびクレジットＩＤ・ユーザ対応情報に基づいて、各ユーザごとの利用状況を算出する利用状況算出ステップとを実行すること、
を特徴とする。
【手続補正８】
【補正対象書類名】明細書
【補正対象項目名】００１８
【補正方法】変更
【補正の内容】
【００１８】
(7)(8)この発明にかかるクレジットＩＤ管理方法において、
カード決済装置の記録部は、複数のクレジットＩＤをグループとして記録しており、
カード決済装置は、判断ステップの実行により、減算後の電子バリュー残高および当該クレジットＩＤと同じグループに属する他のクレジットＩＤに対応する電子バリュー残高を合計し、合計した電子バリュー残高が、所定の補充判定額以下になるか否かを判断し、
カード決済装置は、電子バリュー残高更新ステップの実行により、前記合計した電子バリュー残高が、補充判定額以下であれば、補充を行うこと
を特徴とする。
【手続補正９】
【補正対象書類名】明細書
【補正対象項目名】００２０
【補正方法】変更
【補正の内容】
【００２０】
(9)この発明にかかるクレジットＩＤ管理方法において、
補充は、補充後の当該グループ内のクレジットＩＤの電子バリュー残高が同じ所定額になるように行うこと
を特徴とする。
【手続補正１０】
【補正対象書類名】明細書
【補正対象項目名】００２２
【補正方法】変更
【補正の内容】
【００２２】
(10)この発明にかかるクレジットＩＤ管理方法において、
補充は、補充後の当該グループ内のクレジットＩＤの電子バリュー残高が前記クレジットＩＤごとに設定された所定額になるように行うこと
を特徴とする。
【手続補正１１】
【補正対象書類名】明細書
【補正対象項目名】００２４
【補正方法】変更
【補正の内容】
【００２４】
(11)この発明にかかるクレジットＩＤ管理方法において、
カード決済装置の記録部は、複数のクレジットＩＤをグループとして記録しており、
カード決済装置は、判断ステップの実行により、さらに、決済金額が電子バリュー残高よりも大きいか否かを判断し、
カード決済装置は、電子バリュー残高更新ステップの実行により、決済金額が電子バリュー残高よりも大きい場合には、当該不足金額分を、当該クレジットＩＤと同じグループに属する他のクレジットＩＤの電子バリュー残高から減算して更新すること
を特徴とする。
【手続補正１２】
【補正対象書類名】明細書
【補正対象項目名】００２６
【補正方法】変更
【補正の内容】
【００２６】
この発明にかかるクレジットＩＤ管理方法において、
カード決済装置のプリペイド決済情報出力ステップは、プリペイド決済情報およびクレジットＩＤを貸与機関管理装置に送信することを特徴としている。
【手続補正１３】
【補正対象書類名】明細書
【補正対象項目名】００３２
【補正方法】変更
【補正の内容】
【００３２】
(12)この発明にかかるクレジットＩＤ管理方法において、
補充判定額は、可搬性記録媒体の記録部に記録されていることを特徴としている。したがって、カード決済装置はクレジットＩＤごとの補充判定額を検索する必要がない。これにより、補充処理の簡素化が可能となる。
【手続補正１４】
【補正対象書類名】明細書
【補正対象項目名】００３３
【補正方法】変更
【補正の内容】
【００３３】
(13)この発明にかかるクレジットＩＤ管理方法において、
補充判定額は、カード決済装置の記録部に記録されていることを特徴としている。したがって、可搬性記録媒体に補充判定額を記録する必要がない。これにより、可搬性記録媒体の構成の簡素化が可能となる。
【手続補正１５】
【補正対象書類名】明細書
【補正対象項目名】００３４
【補正方法】変更
【補正の内容】
【００３４】
(14)この発明にかかるクレジットＩＤ管理方法において、
カード決済装置は、交通機関に設置された自動改札機と利用機関管理装置とを備えており、
自動改札機は、前記データ交換ステップの一部である改札機データ交換ステップ、ＩＤ・バリュー取得ステップ、判断ステップおよび電子バリュー残高更新ステップを実行するものであって、前記改札機データ交換ステップの実行により、可搬性記録媒体、利用機関管理装置とデータ交換するものであり、
利用機関管理装置は、前記データ交換ステップの一部である管理装置データ交換ステップ、プリペイド決済情報出力ステップおよびクレジット決済情報出力ステップを実行するものであって、前記管理装置データ交換ステップの実行により、自動改札機、貸与機関管理装置、クレジット管理装置とデータ交換するものであること
を特徴とする。
(15)この発明にかかるクレジットＩＤ管理方法において、
自動改札機は、
乗車時には、乗車駅情報をユーザの有する可搬性記録媒体の記録部に記録する乗車駅記録ステップと、
降車時には、ユーザの有する可搬性記録媒体の記録部に記録された乗車駅情報に基づいて、決済金額を算出する決済金額算出ステップと、
をさらに実行すること
を特徴とする。
【手続補正１６】
【補正対象書類名】明細書
【補正対象項目名】００３６
【補正方法】変更
【補正の内容】
【００３６】
(16)この発明にかかるクレジットＩＤ管理方法において、
前記カード決済装置は、車に設置された車載機と利用機関管理装置とを備えており、
車載機は、前記データ交換ステップである車載機データ交換ステップ、ＩＤ・バリュー取得ステップ、判断ステップおよび電子バリュー残高更新ステップを実行するものであって、前記車載機データ交換ステップの実行により、可搬性記録媒体、利用機関管理装置とデータ交換するものであり、
利用機関管理装置は、前記データ交換ステップの一部である管理装置データ交換ステップ、プリペイド決済情報出力ステップおよびクレジット決済情報出力ステップを実行するものであって、前記管理装置データ交換ステップの実行により、車載機、貸与機関管理装置、クレジット管理装置とデータ交換するものであること
を特徴とする
(17)この発明にかかるクレジットＩＤ管理方法において、
車載機は、
道路入口に設置された利用機関管理装置の通信手段と通信し、入口情報を可搬性記録媒体の記録部に記録する入口情報記録ステップと、
道路出口に設置された利用機関管理装置の通信手段と通信し、可搬性記録媒体の記録部に記録された入口情報に基づいて、決済金額を算出する決済金額算出ステップとをさらに実行すること
を特徴とする。
【手続補正１７】
【補正対象書類名】明細書
【補正対象項目名】００３８
【補正方法】変更
【補正の内容】
【００３８】
(18)この発明にかかるクレジットＩＤ管理方法において、
貸与機関と前記ユーザは、使用者と従業者の関係にあって、使用者は複数の従業者に可搬性記録媒体を貸与し、
貸与機関管理装置の利用状況算出ステップの実行により、記録部に記録されたプリペイド決済情報およびクレジットＩＤ・ユーザ対応情報に基づいて、各従業者ごとの利用金額合計を算出すること
を特徴とする。
【手続補正１８】
【補正対象書類名】明細書
【補正対象項目名】００４０
【補正方法】変更
【補正の内容】
【００４０】
(19)この発明にかかるクレジットＩＤ管理方法において、
貸与機関と前記ユーザは、宿泊施設とその宿泊客の関係にあって、宿泊施設は複数の宿泊客に前記可搬性記録媒体を貸与し、
貸与機関管理装置の利用状況算出ステップの実行により、記録部に記録されたプリペイド決済情報およびクレジットＩＤ・ユーザ対応情報に基づいて、各宿泊客ごとの利用金額合計を算出すること
を特徴とする。
【手続補正１９】
【補正対象書類名】明細書
【補正対象項目名】００４２
【補正方法】変更
【補正の内容】
【００４２】
(20)この発明にかかるクレジットＩＤ管理方法において、
可搬性記録媒体は、クレジットカードであり、
クレジット会社は第１のクレジット会社であり、貸与機関はユーザが入会している第２のクレジット会社であり、
第２のクレジット会社は、前記第１のクレジット会社のクレジットカードを前記ユーザに貸与し、
クレジット管理装置の決済金額算出ステップの実行により、複数の第２のクレジット会社のそれぞれについての決済金額を合計して各第２のクレジット会社に対する請求金額を算出し、
貸与機関管理装置の利用状況算出ステップの実行により、各ユーザごとの決済金額を合計して各ユーザに対するクレジット請求金額を算出すること
を特徴とする。
【手続補正２０】
【補正対象書類名】明細書
【補正対象項目名】００４４
【補正方法】変更
【補正の内容】
【００４４】
(23)この発明にかかるクレジットＩＤ管理方法においては、
クレジット会社のクレジット管理装置と、貸与機関の貸与機関管理装置と、利用機関のカード決済装置とを用いたクレジットＩＤ管理方法であって、
クレジット管理装置は、貸与機関に対して発行した複数のクレジットＩＤを、各貸与機関ごとに対応づけたクレジットＩＤ・貸与機関対応情報を記録しており、
貸与機関管理装置は、クレジット会社によって当該貸与機関に対して発行され、クレジット管理装置において当該貸与機関に対応づけて記録された複数のクレジットＩＤについて、各クレジットＩＤに割り当てたユーザのユーザ情報を対応づけたクレジットＩＤ・ユーザ対応情報を記録しており、
カード決済装置は、ユーザが利用機関で行った商取引に対応して、当該ユーザのクレジットＩＤと当該商取引の決済情報を、貸与機関管理装置およびクレジット管理装置に出力し、
貸与機関管理装置は、カード決済装置から受けたクレジットＩＤと決済情報を各取引ごとに記録し、記録された決済情報およびクレジットＩＤ・ユーザ対応情報に基づいて、各ユーザごとの利用状況を出力し、
クレジット管理装置は、カード決済装置から受けたクレジットＩＤと決済情報を各取引ごとに記録し、記録された決済情報およびクレジットＩＤ・貸与機関対応情報に基づいて、各貸与機関ごとの決済金額を出力すること
を特徴とする。
【手続補正２１】
【補正対象書類名】明細書
【補正対象項目名】００４６
【補正方法】変更
【補正の内容】
【００４６】
(24)この発明にかかるクレジットＩＤ管理方法においては、
クレジット会社のクレジット管理装置と、貸与機関の貸与機関管理装置と、利用機関のカード決済装置とを用いたクレジットＩＤ管理方法であって、
カード決済装置は、
貸与機関管理装置、クレジット管理装置とデータ交換するためのデータ交換ステップと、
ユーザが利用機関で行った商取引に対応して、当該ユーザのクレジットＩＤを取得するクレジットＩＤ取得ステップと、
当該商取引の少なくとも決済金額を含む決済情報を取得する決済情報取得ステップと、
前記クレジットＩＤと決済情報を、貸与サーバ装置およびクレジットサーバ装置に出力する決済情報出力ステップとを実行し、
クレジット管理装置は、
貸与機関に対して発行した複数のクレジットＩＤを、各貸与機関ごとに対応づけたクレジットＩＤ・貸与機関対応情報を記録した記録部を備え、
カード決済装置とデータ交換するためのデータ交換ステップと、
カード決済装置から受けたクレジットＩＤと決済情報を各取引ごとに記録部に記録する決済情報記録ステップと、
記録部に記録された決済情報およびクレジットＩＤ・貸与機関対応情報に基づいて、各貸与機関ごとの決済金額を算出する決済金額算出ステップとを実行し、
貸与機関管理装置は、
クレジット会社によって当該貸与機関に対して発行され、クレジット管理装置において当該貸与機関に対応づけて記録された複数のクレジットＩＤについて、各クレジットＩＤに割り当てたユーザのユーザ情報を対応づけたクレジットＩＤ・ユーザ対応情報を記録した記録部を備え、
カード決済装置とデータ交換するための通信ステップと、
カード決済装置から送信されてきたクレジットＩＤと決済情報を各取引ごとに記録部に記録する決済情報記録ステップと、
記録部に記録された決済情報およびクレジットＩＤ・ユーザ対応情報に基づいて、各ユーザごとの利用状況を算出する利用状況算出ステップとを実行すること
を特徴とする。
【手続補正２２】
【補正対象書類名】明細書
【補正対象項目名】００４８
【補正方法】変更
【補正の内容】
【００４８】
(25)この発明にかかるクレジットＩＤ管理方法において、
カード決済装置は、ユーザのクレジットカードに記録されたクレジットＩＤを取得するものであり、
クレジット会社は、第１のクレジット会社であり、
貸与機関は、ユーザが入会している第２のクレジット会社であり、
前記第２のクレジット会社は、前記第１のクレジット会社のクレジットカードを前記ユーザに貸与し、
クレジット管理装置の決済金額算出ステップの実行により、複数の第２のクレジット会社のそれぞれについての決済金額を合計して各第２のクレジット会社に対する請求金額を算出し、
貸与機関管理装置の利用状況算出ステップの実行により、各ユーザごとの決済金額を合計して各ユーザに対する請求金額を算出すること
を特徴とする。